(57)【特許請求の範囲】
【請求項１】
工具本体の先端領域に装着される工具ビットの取り外し作業及び／又はビット角度調整作業を行うために前記工具ビットの長軸方向に対する移動操作が可能に配置されたスライド操作部材を有する作業工具に使用される集塵アタッチメントであって、
前記スライド操作部材を含む前記工具本体の先端領域の長軸方向周りを包囲するように取付可能とされた集塵部材を有し、
前記集塵部材は、前記工具本体に取付けられた状態では前記スライド操作部材と対応する領域に当該スライド操作部材の手指による操作を可能とする開放部を有しており、
前記開放部は、前記集塵部材の軸中心線を挟んで対向状に２個形成されていることを特徴とする集塵アタッチメント。
【請求項２】
請求項１に記載の集塵アタッチメントであって、
前記集塵部材は、集塵機と接続するための接続ホースが取付可能な粉塵のホース接続口を有することを特徴とする集塵アタッチメント。
【請求項３】
請求項２に記載の集塵アタッチメントであって、
前記集塵部材は、前記接続ホースが接続されていない状態の前記ホース接続口を閉塞する栓を有することを特徴とする集塵アタッチメント。
【請求項４】
請求項２に記載の集塵アタッチメントであって、
前記集塵部材は、前記作業工具に対して周方向の複数箇所に取付けることが可能であり、かつ取付けられた状態では、周方向の移動が規制される構成としたことを特徴とする集塵アタッチメント。
【請求項５】
請求項１〜４のいずれか１つに記載の集塵アタッチメントであって、
前記集塵部材は、前記工具本体に取付け可能とされていることを特徴とする集塵アタッチメント。
【請求項６】
請求項１〜５のいずれか１つに記載の集塵アタッチメントを有することを特徴とする作業工具。
【発明の詳細な説明】
【技術分野】
【０００１】
本発明は、工具ビットが直線動作するハンマ作業、あるいは工具ビットが直線動作及び回転動作するハンマドリル作業等の加工作業を行う作業工具に適用され、加工作業時に生じた粉塵を集塵する集塵アタッチメントに関する。
【背景技術】
【０００２】
この種の集塵アタッチメントは、例えば、特許第３７２６４３７号公報に記載されている。当該公報記載の集塵アタッチメントは、ハンマビットが長軸方向の直線動作と周方向の回転動作とを行う穿孔工具（ハンマドリル）に適用され、コンクリートに対する穴開け加工作業時に生じた粉塵を集塵する集塵カップを主体として構成される。集塵カップは、伸縮自在な筒状に形成されており、工具本体の先端領域の長軸方向周りを包囲するように配置されるとともに、その長軸方向の一端部がハンマドリルのサイドグリップに着脱自在に取付けられている。
【０００３】
ところで、工具本体の先端部には、ビット装着用チャックを操作するための操作スリーブが配置されている。上記公報に記載の集塵カップは、当該操作スリーブを含む工具本体の先端領域全体を包囲する構成のため、操作スリーブを操作する場合には、その都度、集塵カップを工具本体から取り外さなければならず、作業が面倒であるという点でなお改良の余地がある。
【先行技術文献】
【特許文献】
【０００４】
特許第３７２６４３７号公報
【発明の概要】
【発明が解決しようとする課題】
【０００５】
本発明は、上記の問題に鑑み、作業工具の先端領域に取付けられる集塵アタッチメントを作業工具に取付けたままの状態で、当該作業工具の先端領域に配置されたスライド操作部材の操作を可能とする技術を提供することをその目的とする。
【課題を解決するための手段】
【０００６】
上記課題を達成するため、本発明の好ましい形態によれば、工具本体の先端領域に装着される工具ビットの取り外し作業及び／又はビット角度調整作業用を行うために前記工具ビットの長軸方向に対する移動操作が可能に配置されたスライド操作部材を有する作業工具に使用される集塵アタッチメントが構成される。集塵アタッチメントは、スライド操作部材を含む工具本体の先端領域の長軸方向周りを包囲するように取付可能とされた集塵部材を有する。そして集塵部材は、工具本体に取付けられた状態ではスライド操作部材と対応する領域に当該スライド操作部材の手指による操作を可能とする開放部を有する。開放部は、集塵部材の軸中心線を挟んで対向状に２個形成されている。
【０００７】
なお、本発明における「スライド操作部材」は、典型的には、工具保持装置にて保持された工具ビットを取り外すべく当該工具保持装置のビット保持解除操作を行う部材、及び／又は作業工具が工具ビットを長軸方向に直線動作させるハンマモードで作業する場合に、工具保持装置にて保持された工具ビットの角度が所定の角度となるように調整する部材がこれに該当する。
また、本発明における「開放部」は、典型的には集塵部材の径方向の対向する２箇所に開口された、例えば矩形窓状の開放部、あるいは一部が切り欠かれた、例えばＵ形の開放部等を好適に包含する。また、作業工具に集塵部材を取付ける態様としては、工具本体に直接に取付ける態様、あるいは工具本体にサイドグリップ（補助ハンドル）を介して間接的に取付ける態様のいずれも好適に包含する。
【０００８】
本発明に係る集塵部材は、作業工具に取付けた状態において、工具ビットの取り外し作業用及び／又はビット角度調整作業用のスライド操作部材と対応する領域に当該スライド操作部材の手指による操作を可能とする開放部を備えている。このため、作業工具に集塵部材を取付けたままの状態で、開放部を通してスライド操作部材を手指により操作することが可能となり、これによって、工具ビットの取り外し作業及び／又はビット角度調整作業の作業性を向上することができる。また、集塵部材の開放部を通してスライド操作部材が操作可能なことから、例えば集塵部材にスライド操作部材操作用として更に別の操作部品を設ける構成のものに比べ、部品点数を削減できる。このため、構造簡単で、かつ低コストの集塵アタッチメントが提供される。また、集塵部材内に工具ビットの外径とカップ内径との隙間を詰めるシール部材を備えている場合においては、開放部を通して当該シール部材の交換作業を簡単に行うこともできる。
【０００９】
本発明の更なる形態によれば、集塵部材は、集塵機と接続するための接続ホースが取付可能なホース接続口を有する。このような構成とすることによって、ホース接続口に接続ホースを取付け、加工作業時に発生した粉塵を集塵機により吸引して集塵することができ、加工作業を連続して行うことができる。
【００１０】
本発明の更なる形態によれば、集塵部材は、接続ホースが接続されていない状態のときに、ホース接続口を閉塞するキャップを有する。このような構成によれば、ホース接続口にキャップを取り付けることによって、例えば、上向き加工作業時に発生した粉塵を受け取る（キャッチする）集塵部材として使用できる。
【００１１】
本発明の更なる形態によれば、集塵部材は、作業工具に対して周方向の複数箇所に取付けることが可能であり、かつ取付けられた状態では、周方向の移動が規制される構成とした。本発明によれば、作業工具の周方向における集塵部材の取付け位置を変えることで、ホース接続口の位置（向き）を変えることができる。このため、例えば作業工具に補助ハンドルを装着した状態で、かつ集塵機を用いて集塵する使用形態において、補助ハンドルの取付位置（グリップ部が下向きとなる位置あるいは横向きとなる位置）に応じて、接続ホースがサイドグリップを握る際に邪魔にならないように、ホース接続口の位置を任意に変更して使用することができる。また、集塵部材は、作業工具に取付けられた状態では周方向の移動が規制される構成としたので、工具ビットが少なくとも回転動作を含む作業モードでの作業時において、集塵部材内での工具ビットと集塵部材間への粉塵（コンクリートの欠片）の噛み込みによる集塵部材の工具ビットに対する連れ回りを防止することができる。
【００１２】
本発明の更なる形態によれば、集塵部材は、作業工具の工具本体に取付け可能とされている。このような構成としたときは、集塵部材を補助ハンドルに取付ける形式のものとは異なり、補助ハンドルの有無に関係なく集塵部材を使用することができる。
【００１３】
また、本発明の更なる形態によれば、請求項１〜６のいずれか１つに記載の集塵アタッチメントを有する作業工具が構成される。これにより、工具ビットの取り外し作業及び／又はビット角度調整作業の作業性を向上する上で有効な集塵アタッチメントを備えた作業工具を提供することが可能となる。
【発明の効果】
【００１４】
本発明によれば、作業工具の先端領域に取付けられる集塵アタッチメントを作業工具に取付けたままの状態で、当該作業工具の先端領域に配置されたスライド操作部材の操作を可能とする技術が提供されることとなった。
【図面の簡単な説明】
【００１５】
【図１】本発明の第１の実施形態に係るハンマドリルの全体構成を示す外観図である。
【図２】先端領域に集塵アタッチメントが取付けられたハンマドリルを示す外観図である。
【図３】ハンマドリルの動作に関わる内部機構を示す断面図である。
【図４】図３の一部を拡大して示す断面図である
【図５】集塵アタッチメントを示す斜視図である。
【図６】集塵カップの取付位置（向き）を変更可能とした構成を示す断面図であり、粉塵排出ノズルが真下を向くように取付けた状態を示す。
【図７】集塵カップの取付位置（向き）を変更可能とした構成を示す断面図であり、粉塵排出ノズルが斜め下を向くように取付けた状態を示す。
【図８】本発明の第２の実施形態に係る集塵アタッチメントが取付けられたハンマドリルの全体構成を示す一部断面図である。
【図９】図８の一部（集塵アタッチメント側）を拡大して示す拡大図である。
【図１０】集塵アタッチメントの取付対象であるサイドグリップを示す断面図である。
【図１１】図１０のＡ矢視図である。
【図１２】集塵アタッチメントをハンマドリルの後方（図８の右側）から見た図である。
【図１３】図８のＢ−Ｂ線断面図である。
【図１４】本発明の第３の実施形態に係る集塵アタッチメントが取付けられたハンマの全体構成を示す断面図である。
【図１５】図１４の一部（集塵アタッチメント側）を拡大して示す拡大図である。
【発明を実施するための形態】
【００１６】
（本発明の第１の実施形態）
以下、本発明の第１の実施形態につき、図１〜図７を参照しつつ詳細に説明する。この実施形態は、集塵アタッチメントを、作業工具の一例として電動式のハンマドリルに適用した場合で説明する。図１〜図３に示すように、本実施の形態に係るハンマドリル１０１は、概括的に見て、ハンマドリル１０１の外郭を構成する本体部１０３、当該本体部１０３の先端領域（前端部側）に工具保持装置１０４を介して着脱自在に取付けられるハンマビット１１９、本体部１０３におけるハンマビット１１９の反対側の後端部側に配置されるメインハンドルとしてのハンドグリップ１０９を主体として構成される。ハンマビット１１９は、工具保持装置１０４に対し、その長軸方向への相対的な移動が可能に、かつその周方向への相対的な回動が規制された状態で把持される。本体部１０３は、本発明における「工具本体」に対応し、ハンマビット１１９は、本発明における「工具ビット」に対応する。なお説明の便宜上、ハンマビット１１９側を前、ハンドグリップ１０９側を後という。
【００１７】
図３に示すように、本体部１０３は、駆動モータ１１１を収容したモータハウジング１０５と、運動変換機構１１３、打撃要素１１５及び動力伝達機構１１７を収容したギアハウジング１０７とを主体として構成されている。なお、ギアハウジング１０７は、その前方に筒状のバレル部１０６を備えており、当該バレル部１０６には、補助ハンドルとしてのサイドグリップ１０８が着脱自在に取付けられている。サイドグリップ１０８は、バレル部１０６に巻かれたバンド部を締付けあるいは緩めることによって着脱される構成とされる。
【００１８】
駆動モータ１１１は、その回転軸線が本体部１０３の長軸方向（ハンマビット１１９の長軸方向）と平行となるように配置される。駆動モータ１１１の回転出力は、運動変換機構１１３によって直線動作に適宜変換された上で打撃要素１１５に伝達され、当該打撃要素１１５を介してハンマビット１１９の長軸方向（図１における左右方向）への衝撃力を発生する。また、駆動モータ１１１の回転出力は、動力伝達機構１１７によって適宜減速された上でハンマビット１１９に伝達され、当該ハンマビット１１９が周方向に回転動作される。駆動モータ１１１は、ハンドグリップ１０９に配置されたトリガ１０９ａの引き操作によって通電駆動される。なお、ハンドグリップ１０９は、モータハウジング１０５の後端部から当該モータハウジング１０５の長軸方向（ハンマビット１１９の長軸方向）と交差する方向（下方）に所定長さで延在されるとともに、延在端部が自由端とされた長尺の棒状部材として構成されている。
【００１９】
図４には、ハンマビット１１９の打撃動作及び回転動作に関わる内部機構としての運動変換機構１１３、打撃要素１１５、動力伝達機構１１７及びハンマビット１１９を保持する工具保持装置１０４が拡大して示される。運動変換機構１１３は、駆動モータ１１１によって回転駆動される中間軸１２３、中間軸１２３の回転に伴い回転体１２５を介してハンマビット１１９の長軸方向に揺動される揺動部材としての揺動リング１２７、揺動リング１２７の揺動動作に伴いハンマビット１１９の長軸方向に直線状に往復移動する筒状ピストン１２９を主体として構成される。すなわち、本実施の形態に係る運動変換機構１１３は、揺動リング１２７の揺動動作を利用する揺動機構によって構成されている。一方、動力伝達機構１１７は、中間軸１２３と共に回転する小径ギア１３１及び当該小径ギア１３１と噛み合い係合する大径ギア１３３等の複数のギアからなるギア減速機構を主体として構成され、駆動モータ１１１の回転力を工具保持装置１０４に伝達する。これにより工具保持装置１０４が鉛直面内にて回転され、それに伴い当該工具保持装置１０４により保持されたハンマビット１１９が回転する構成とされる。なお、運動変換機構１１３及び動力伝達機構１１７については、従来周知ゆえ、詳細な説明を省略する。
【００２０】
打撃要素１１５は、筒状ピストン１２９内に摺動自在に配置された打撃子としてのストライカ１３５と、工具保持装置１０４のツールホルダ１４１に摺動自在に配置された中間子としてのインパクトボルト１３７とを主体として構成される。ストライカ１３５は、筒状ピストン１２９の摺動動作に伴う空気室１２９ａの空気バネ（圧力変動）を介して駆動され、インパクトボルト１３７に衝突（打撃）し、当該インパクトボルト１３７を介してハンマビット１１９に打撃力を伝達する。
【００２１】
工具保持装置１０４は、図４に示すように、ハンマビット１１９の軸部が抜き取り可能に挿入される円形断面のビット挿入孔１４１ａを有する円筒状のツールホルダ１４１と、当該ビット挿入孔１４１ａに挿入されたハンマビット１１９の抜き取りを規制する規制部材としての複数の鋼球（スチールボール）１４３と、当該鋼球１４３によるハンマビット１１９の抜き取り規制を解除操作可能な略筒状のツールスリーブ１４５とを主体にして構成される。ツールスリーブ１４５は、ギアハウジング１０７のバレル部１０６の前方位置にハンマビット１１９の長軸方向への移動操作可能に配置されており、常時には付勢バネ１４９によって前方へと付勢され、規制リング１４７を介して鋼球１４３を抜き取り規制位置に保持している。そしてツールスリーブ１４５を後方（ハンドグリップ側）へとスライド操作したときに、鋼球１４３のビット抜き取り規制を解除する構成とされている。ツールスリーブ１４５は、本発明における「ビット取外し作業用のスライド操作部材」に対応する。なお、ハンマビット１１９の抜き取り規制と規制解除の詳細な構成については、周知技術ゆえ、その説明を省略する。
【００２２】
上記のように構成されるハンマドリル１０１においては、駆動モータ１１１が通電駆動されると、その回転出力は、運動変換機構１１３を介して直線運動に変換された後、打撃要素１１５を介してハンマビット１１９に長軸方向の直線運動として伝達される。つまりハンマビット１１９が打撃動作する。また、ハンマビット１１９には、上記の打撃動作に加え、駆動モータ１１１の回転出力によって駆動される動力伝達機構１１７を介して回転動作が伝達され、これにより周方向の回転動作が加えられる。すなわち、ハンマビット１１９は、長軸方向の打撃動作と周方向の回転動作を行い、被加工材（コンクリート）にハンマドリル作業（穴開け作業）を遂行する。
【００２３】
なお、ハンマドリル１０１の場合、上記のようにハンマビット１１９に長軸方向の打撃動作と周方向の回転動作を行わせるハンマドリルモードのほか、ハンマビット１１９に回転動作のみを行わせるドリルモード、あるいは打撃動作のみを行なわせるハンマモードに切替えることができるように構成されるが、この作業モード切替えについては、周知の技術であり、かつまた本発明には直接には関係しないため、その説明を省略する。
【００２４】
次に上記のように構成されたハンマドリル１０１に装着され、被加工材（例えば、コンクリート）に対する加工作業時に生じた粉塵を集塵するための集塵アタッチメント１５０につき、図４〜図７を参照しつつ説明する。図５には集塵アタッチメント１５０の全体構成が示され、図６及び図７には集塵アタッチメント１５０の本体部１０３に対する取付状態が示される。
【００２５】
本実施の形態に係る集塵アタッチメント１５０は、ハンマビット２１９を含む本体部２０３の先端領域を覆うように取付けられる両端開放筒状の集塵カップ１５１と、当該集塵カップ１５１を集塵機に接続する接続ホース（便宜上図示を省略する）を主体として構成される。集塵カップ１５１は、本発明における「集塵部材」に対応する。集塵カップ１５１は、伸縮自在な蛇腹状のカップ本体１５３と、当該カップ本体１５３の長軸方向（伸縮方向）の一端（後端）側に接合される円筒状のカップ取付部１５５とを有し、本体部１０３に取付けられた状態では、カップ本体１５３によってハンマビット１１９を覆い、カップ取付部１５５によって本体部１０３の先端部分、すなわちハンマビット１１９を保持する工具保持装置１０４を覆う構成とされる。図４に示すように、カップ取付部１５５の一端（前端）側には、カップ本体接合用としての外筒部１５５ａが設けられている。そして、この外筒部１５５ａの外面にカップ本体１５３の後端側の端末部が嵌合され、これによってカップ本体１５３とカップ取付部１５５が接合されている。なお、カップ本体１５３の先端側の一部の領域には、非蛇腹領域１５３ａが設定されており、これにより被加工材に押し付けたときの安定化と密接性が図られている。
【００２６】
カップ取付部１５５には、粉塵溜め１５７と、当該粉塵溜め１５７の粉塵を外部へ排出する粉塵排出ノズル１５９が形成されている。粉塵溜め１５７は、前記外筒部１５５ａの内周面と、この外筒部１５５ａで囲まれる内筒部１５５ｂの外周面と、両筒部１５５ａ，１５５ｂを接続する領域の内面とによって囲まれるとともに、カップ本体１５３の内部空間に臨む側が開口された環状空間として備えられ、この粉塵溜め１５７に粉塵排出ノズル１５９の入口側が連通（開口）している。
【００２７】
粉塵排出ノズル１５９は、集塵カップ１５１を集塵機に接続するための接続ホースが取付可能なホース接続部として備えられており、カップ取付部１５５の外径方向で、かつ後方に傾斜して突出されている。粉塵排出ノズル１５９は、本発明における「ホース接続口」に対応する。また、集塵カップ１５１は、集塵機に接続しない態様で使用する場合に対応するべく、粉塵排出ノズル１５９の出口を閉塞するための着脱自在なキャップ１６１を備えている。キャップ１６１は、本発明における「栓」に対応する。また、カップ本体１５３とカップ取付部１５５との接合部付近には、ハンマビット１１９の軸部との隙間を狭めるシール部材１６３が取付けられ、これによってカップ本体１５３内の粉塵がカップ取付部１５５の内部空間へと侵入することを抑制している。
【００２８】
集塵カップ１５１のカップ取付部１５５は、図３及び図４に示すように、後端側の開口部をバレル部１０６の先端外面に被せるようにして取付けられる。図６及び図７に示すように、カップ取付部１５５の開口部内面には、周方向に１８０度の間隔を置いて２個の係合突部１６５が内向きに突設されている。これに対応してバレル部１０６の先端部外面には、６個の係合凹部１６７が形成され、当該６個の係合凹部１６７は、各２個ずつがバレル部１０６の軸中心線を挟んで互いに対向するように設けられる。従って、６個の係合凹部１６７のうち対向する２個の係合凹部１６７にカップ取付部１５５の係合突部１６５を選択的に係合することによって集塵カップ１５１がバレル部１０６に対し周方向への移動が規制された状態で取付けられる。すなわち、集塵カップ１５１は、バレル部１０６に対して周方向の複数箇所に取付けることが可能とされ、これによってバレル部１０６の中心軸周りにおける粉塵排出ノズル１５９の向き（位置）を変更することができる。
【００２９】
粉塵排出ノズル１５９の向きを変更した場合の代表的な態様として、図６には粉塵排出ノズル１５９を真下に向けた場合が示され、図７にはハンマドリル１０１を後方から見て左斜め下に向けた場合が示される。なお、係合凹部１６７は、断面略台形状の凹部として備えられ、係合凹部１６７に対する係合突部１６５の係合は、当該係合突部１６５の弾性変形を利用して行うように構成される。そして取付けられた状態では、集塵カップ１５１はバレル部１０６に対する周方向の移動が規制される構成とされる。
【００３０】
また、集塵カップ１５１のカップ取付部１５５には、バレル部１０６に取付けられたときに工具保持装置１０４のツールスリーブ１４５の後端部、すなわち摘み部１４５ａと対向する領域に、手指を差し込んで当該ツールスリーブ１４５の操作を可能とするべく略方形状に開口された２個のビット取外し作業用の作業孔１６９が形成されている（図５参照）。２個の作業孔１６９は、カップ取付部１５５の周方向に１８０度の間隔を置いた箇所、すなわち軸中心線を挟んで対向する領域（ハンマドリル１０１の後方視で左右の領域）に形成されている。従って、ツールスリーブ１４５の摘み部１４５ａがこの作業孔１６９を通じて外部に露出される（図２参照）ため、これにより、作業者は２個の作業孔１６９から手指で差し込み、ツールスリーブ１４５を径方向から挟むように掴んで操作することができる。作業孔１６９は、本発明における「開放部」に対応する。
【００３１】
上記のように構成された集塵アタッチメント１５０は、本体部１０３の先端領域に取付けられ、加工作業時（穴開け作業時）に生ずる粉塵を集塵カップ１５１によって集塵するべく使用される。本実施の形態に係る集塵アタッチメント１５０は、集塵カップ１５１のカップ取付部１５５にその軸中心線に対して対向状に２個のビット取外し作業用の作業孔１６９を設け、作業者が当該作業孔１６９を通して工具保持装置１０４のツールスリーブ１４５を操作可能としている。このため、集塵アタッチメント１５０を本体部１０３に取付けたままの状態で、２つの作業孔１６９に手指を差し入れてツールスリーブ１４５の摘み部１４５ａを掴んで後方へと移動させ、鋼球１４３によるハンマビット１１９の抜け規制を解除し、ハンマビット１１９を工具保持装置１０４から取り外すことができる。すなわち、集塵アタッチメント１５０を本体部１０３に取付けたままの状態で、ハンマビット１１９の取外し作業を行うことができ、作業性を向上することができる。
【００３２】
また、本実施の形態によれば、作業孔１６９を通してツールスリーブ１４５を操作する構成であり、例えば集塵カップにツールスリーブ操作用として更に別の操作部品を設ける構成のものに比べ、部品点数を削減でき、構造簡単で、かつ低コストの集塵アタッチメントが提供される。また、集塵カップ１５１の内部に配置されたシール部材１６３が劣化し、交換が必要になったときには、集塵アタッチメント１５０を本体部１０３から取り外した状態でシール部材１６３の交換作業を行うことになるが、この場合、シール部材１６３から見てカップ取付部１５５の筒孔開口よりも作業孔１６９の方が近い位置にあるため、当該作業孔１６９を利用してシール部材１６３の交換作業を容易に行うことが可能となり、シール部材１６３の交換作業性を向上できる。
【００３３】
また、本実施の形態によれば、カップ本体１５３内の粉塵を外部に排出する粉塵排出ノズル１５９を設け、当該粉塵排出ノズル１５９に集塵機と接続するための接続ホースを取付けることで、加工作業時に発生した粉塵を集塵機により吸引して集塵する形態で使用することができる。このため、カップ本体１５３内に溜まった粉塵を処理するために加工作業を中断する必要も無く、作業効率を向上にすることができる。一方、粉塵排出ノズル１５９にキャップ１６１を取り付けた状態では、例えば、天井に穴開け作業を行うといった上向き加工作業時において、発生した粉塵を受け取る（キャッチする）集塵カップとして使用できる。すなわち、作業形態に応じて集塵アタッチメント１５０の使い分けが可能とされる。
【００３４】
また、本実施の形態では、集塵アタッチメント１５０をハンマドリル１０１のバレル部１０６に取付ける構成である。集塵アタッチメント１５０を、例えばサイドグリップ１０８に取付けるように構成した場合には、サイドグリップを有しない仕様のハンマドリルには適用できないことになるが、本実施の形態によれば、本体部１０３に直接に取付ける構成のため、サイドグリップの有無に関係なく適用できる。
【００３５】
また、本実施の形態によれば、集塵カップ１５１をバレル部１０６に取付ける際、当該バレル部１０６の中心軸周りに関して粉塵排出ノズル１５９の突出方向を変えることができる。このため、集塵機を利用して強制集塵する形態で使用する場合において、サイドグリップ１０８の取付状態（バレル部１０６の真下に向ける、あるいはバレル部１０６の側方に向ける）に応じて、集塵カップ１５１の位置を変更し、サイドグリップ１０８と接続ホースとの干渉を合理的に回避するとともに、加工作業の周辺状況に応じて接続ホースが作業の邪魔にならないようにすることができるため、利便性が向上する。
【００３６】
また、バレル部１０６に取付けられた状態では、集塵カップ１５１は、係合突部１６５のバレル部１０６の係合凹部１６７に対する係合によって周方向への移動が規制される構成としている。このため、穴開け作業中においてハンマビット１１９と集塵カップ１５１間への粉塵（コンクリートの欠片）の噛み込みによる集塵カップ１５１のハンマビット１１９に対する連れ回りを防止することができる。
【００３７】
ところで、ハンマビット１１９に打撃動作のみを行わせるハンマモードへの切替えが可能とされたハンマドリル１０１においては、ハンマモードでの加工作業時に、ハンマビット１１９の角度を一定に保つ（周方向に移動させない）ために、ハンマビット１１９を回転規制する（工具保持装置１０４のツールホルダ１４１をギアハウジング１０７に強制的にロックする）ビット角度決め機構（バリオロック機構）を備えている。そして、ハンマビット１１９の角度決め機構は、ハンマビット１１９の作業モードを、作業モード切替レバーを、例えばハンマドリルモードからハンマモードへ切替える切替え動作の途中領域で回転規制が解除され、ハンマモードに切替えた状態では、再び回転規制がなされるように構成されている。従って、ビット角度決め機構による回転規制が解除された切替え動作の途中領域で、工具保持装置１０４のツールスリーブ１４５を手指で周方向に回動操作することによってハンマビット１１９の角度決め作業を行うことができる。すなわち、本実施の形態に係る集塵アタッチメント１５０によれば、作業者は、ビット取り外し作業用の作業孔１６９を利用して集塵アタッチメント１５０を本体部１０３に取付けたままの状態で、ハンマビット１１９の角度決め作業を行うことができる。
【００３８】
（本発明の第２の実施形態）
次に、本発明の第２の実施形態につき、図８〜図１３を参照しつつ詳細に説明する。本実施の形態は、集塵アタッチメント２５０につき、ハンマビット２１９の長軸方向に対して駆動モータの回転軸線が交差する（上下方向となる）タイプの電動式ハンマドリル２０１に適用したものである。図８に示すように、本実施の形態に係るハンマドリル２０１は、概括的に見て、ハンマドリル２０１の外郭を構成する本体部２０３、当該本体部２０３の先端領域（前端部側）に工具保持装置２０４を介して着脱自在に取付けられるハンマビット２１９、及び本体部２０３におけるハンマビット２１９の反対側（後端部側）に配置されるメインハンドルとしてのハンドグリップ２０９を主体として構成される。ハンマビット２１９は、工具保持装置２０４に対し、その長軸方向への相対的な移動が可能に、かつその周方向への相対的な回動が規制された状態で把持される。本体部２０３は、本発明における「工具本体」に対応し、ハンマビット２１９は、本発明における「工具ビット」に対応する。
【００３９】
本体部２０３は、駆動モータ（便宜上図示を省略する）を収容したモータハウジング２０５と、ハンマビット２１９の打撃動作及び回転動作に関わる内部機構を収容したギアハウジング２０７とを主体として構成されている。本実施の形態では、駆動モータは、その回転軸線がハンマビット２１９の長軸方向に対して交差するように配置される。このため、本体部２０３は、図８に示すように、モータハウジング２０５とギアハウジング２０７が概ねＬ型をなすボディ構造とされる。また、本体部２０３の後端部に配置されるハンドグリップ２０９は、ハンマビット２１９の長軸方向と交差する上下方向に延在するとともに、その上下の各端部が本体部２０３に連接された概ねＤ形ハンドルとして構成されている。ギアハウジング２０７は、その前方に筒状のバレル部２０６を備えており、当該バレル部２０６に補助ハンドルとしてのサイドグリップ２０８が着脱自在に取付けられている。サイドグリップ２０８の取付けについては、後述する。
【００４０】
なお、内部機構は、駆動モータの回転出力を直線運動に変換する運動変換機構としてのクランク機構（便宜上図示を省略する）と、当該クランク機構の直線運動成分を介して本体部２０３の長軸方向（図８における左右方向）に直線動作することでハンマビット２１９に打撃動作を加える打撃要素２１５と、駆動モータの回転出力を適宜減速した上でハンマビット２１９に伝達し、当該ハンマビット２１９を周方向に回転動作させる動力伝達機構（便宜上図示を省略する）とを主体として構成される。打撃要素２１５は、直線動作する打撃子としてのストライカ２３５と、当該ストライカ２３５の打撃力をハンマビット２１９に伝達する中間子としてのインパクトボルト２３７を主体として構成される。なお、内部機構によってハンマビット２１９を打撃動作及び回転動作させる具体的構成については、周知の技術であるゆえに、詳細な説明を省略する。
【００４１】
工具保持装置２０４は、図９に示すように、ハンマビット２１９の軸部が抜き取り可能に挿入される円形断面のビット挿入孔２４１ａを有する円筒状のツールホルダ２４１と、当該ビット挿入孔２４１ａに挿入されたハンマビット２１９の抜き取りを規制する規制部材としての複数の係止爪２４３と、当該係止爪２４３によるハンマビット２１９の抜き取り規制を解除操作可能な略筒状のツールスリーブ２４５とを主体にして構成される。ツールスリーブ２４５は、ギアハウジング２０７のバレル部２０６の前方位置にハンマビット２１９の長軸方向への移動操作可能に配置されており、常時には付勢バネ２４９によって前方へと付勢され、規制リング２４７を介して係止爪２４３を抜き取り規制位置に保持している。そしてツールスリーブ２４５を後方（ハンドグリップ側）へとスライド操作したときに、係止爪２４３のビット抜き取り規制を解除する構成とされている。ツールスリーブ２４５は、本発明における「ビット取外し作業用のスライド操作部材」に対応する。すなわち、工具保持装置２０４は、第１の実施形態で説明した工具保持装置１０４の鋼球１４３が係止爪２４３に変更されている点以外については、第１の実施形態の工具保持装置１０４と同様の構成となっている。
【００４２】
上記のように構成されるハンマドリル２０１においては、トリガ２０９ａの引き操作によって駆動モータが通電駆動されると、その回転出力は、運動変換機構を介して直線運動に変換された後、打撃要素を介してハンマビット２１９に長軸方向の直線運動として伝達され、ハンマビット２１９が打撃動作する。また、駆動モータの回転出力によって駆動される動力伝達機構を介して工具保持装置２０４に回転動作が伝達され、これにより工具保持装置２０４に保持されたハンマビット２１９に周方向の回転動作が加えられる。すなわち、ハンマビット２１９は、長軸方向の打撃動作と周方向の回転動作を行い、被加工材（コンクリート）にハンマドリル作業（穴開け作業）を遂行する。
【００４３】
そして、ハンマドリル２０１は、第１の実施形態の場合と同様、上記のようにハンマビット２１９に長軸方向の打撃動作と周方向の回転動作を行わせるハンマドリルモードのほか、ハンマビット２１９に回転動作のみを行わせるドリルモード、あるいは打撃動作のみを行なわせるハンマモードに切替えることができるように構成されるが、この作業モード切替えについては、周知の技術であり、かつまた本発明には直接には関係しないため、その説明を省略する。
【００４４】
本実施の形態に係る集塵アタッチメント２５０は、サイドグリップ２０８に取付ける構成としている。このため、集塵アタッチメント２５０の説明に先行してサイドグリップ２０８について説明する。サイドグリップ２０８は、バレル部２０６に取付けられる構成であり、このためにバレル部２０６の外面には、本体部２０３の長軸方向に平行な所定幅の円周面によって構成されるグリップ装着部２８１が形成されている。サイドグリップ２０８は、全体としては、図１０に示すように、ハンマビット２１９の長軸方向に対して交差する方向に延在する棒状部材として構成されている。
【００４５】
サイドグリップ２０８は、図１０に示すように、バレル部２０６のグリップ装着部２８１の外表面に巻かれるバンド部２８３と、バンド部２８３の端部側に配置されるとともにグリップ装着部２８１の外表面に係合する略Ｕ形の係合面２８５ａを有するベース部２８５と、ベース部２８５に長軸回りに相対回動自在に連接されるグリップ部２８７と、バンド部２８３を締め付ける締付用ネジ付き操作ロッド２８９とを主体として構成される。操作ロッド２８９は、グリップ部２８７及びベース部２８５の中心部を遊嵌状に貫通して長軸方向に延在し、一端がバンド部２８３の端部に連結され、他端がグリップ部２８７の内部に配置されたナット２８６に螺合されている。ナット２８６はグリップ部２８７に対し相対回動が規制されている。従って、グリップ部２８７を長軸線回りに右回りあるいは左回りに回転操作し、ナット２８６に螺合した締付用ネジ付き操作ロッド２８９を長軸方向に前進動作あるいは後退動作させることによってバンド部２８３の締付け、及び締付け解除を行うことができる。バンド部２８３の締め付けによりサイドグリップ２０８は、グリップ装着部２８１に固定される。本実施の形態では、サイドグリップ２０８が本体部２０３の側方に向って概ね水平状に突出するように取付けられた状態が示される。
【００４６】
次に、集塵アタッチメント２５０を説明する。前述した第１の実施形態では、集塵アタッチメント１５０をバレル部１０６に取付ける構成としたが、本実施の形態に係る集塵アタッチメント２５０は、集塵カップ２５１をサイドグリップ２０８に取付ける構成としたものであって、この点以外の基本的な構成については、第１の実施形態の集塵アタッチメント１５０と同様とされる。集塵アタッチメント２５０は、図９に示すように、本体部２０３の先端領域を覆う両端開放筒状の集塵カップ２５１と、集塵カップ２５１を集塵機に接続する接続ホース２７３を主体として構成される。集塵カップ２５１２５１は、本発明における「集塵部材」に対応する。集塵カップ２５１は、伸縮自在な蛇腹状のカップ本体２５３と、当該カップ本体２５３の後端側に接合される円筒状のカップ取付部２５５とからなり、カップ取付部２５５には、カップ本体２５３との接合側にカップ取付部２５５の内部空間に開口する粉塵排出ノズル２５９と、ハンマビット２１９の軸部との隙間を狭めるシール部材２６３が設けられている。粉塵排出ノズル２５９は、本発明における「ホース接続口」に対応する。
【００４７】
カップ取付部２５５の後端側（本体部２０３側）には、サイドグリップ２０８への取付用として、図１２に示すように、周方向に１８０度の間隔を置いて２本の円形断面のポール２６５が後方へ互いに並行に延在されている。これに対応して、サイドグリップ２０８のベース部２８５には、図１０に示すように、カップ取付部２５５と対向する２個の係合孔２６７が形成されている。そして、図９に示すように、当該係合孔２６７にポール２６５の先端（後端）が差し込まれ、これによってカップ取付部２５５がサイドグリップ２０８のベース部２８５に対してハンマビット２１９の長軸方向に所定の間隔を置いて対向するよう取付けられる。
【００４８】
本実施の形態では、カップ取付部２５５に後方に突出する２本のポール２６５を設けることで、カップ取付部２５５の後端側にカップ取付部２５５の後面と２本のポール２６５で囲まれる後方が開放された略Ｕ字状の２個の空間を設定したものである。そして、当該ポール２６５を介してカップ取付部２５５をサイドグリップ２０８に対しハンマビット２１９の長軸方向に関し所定の間隔を置いて取り付けた状態では、サイドグリップ２０８のベース部２８５とカップ取付部２５５との間に、作業者が手指を差し込んで工具保持装置２０４のツールスリーブ２４５の操作を可能とするべく、カップ取付部２５５の後面、ベース部２８５の前面、及び２本のポール２６５によって囲まれる２箇所の作業空間２６９が形成される構成としている。この作業空間２６９が本発明における「開放部」に対応する。なお、作業空間２６９の前後方向の長さについては、ポール２６５の長さを変えることによって適宜に設定することが可能である。
【００４９】
サイドグリップ２０８のベース部２８５には、図９〜図１１に示すように、係合孔２６７の内径側に突出する略半球状の係合突部２７１ａを有する係合部材２７１が設けられている。この係合部材２７１は係合孔２６７内に集塵カップ２５１のポール２６５が挿入されたとき、当該ポール２６５の外周面に形成された環状の係合溝２６５ａに対して弾発状に係合することで、当該ポール２６５を挿入位置に保持するポール保持部材として備えられる。なお、ポール２６５を前方へと引っ張り、係合部材２７１を外径方向へと弾性変形させて係合突部２７１ａを係合溝２６５ａから脱出させることによって、当該ポール２６５の係合孔２６７からの抜き取りが可能とされている。
【００５０】
粉塵排出ノズル２５９には、集塵機との接続に用いられる接続ホース２７３が接続可能とされる。粉塵排出ノズル２５９に接続された接続ホース２７３は、図８に示すように、当該粉塵排出ノズル２５９から本体部２０３側、具体的にはモータハウジング２０５の前面側へと延在されるとともに、当該モータハウジング２０５の前面に沿って下方へと延出されている。そして接続ホース２７３は、加工作業中に垂れ下がって揺れ動かないようにモータハウジング２０５及び当該モータハウジング２０５の下方の電源コード保護用のコードガード２７５に対しそれぞれ結束バンド２７７によって結わえられている。
【００５１】
また、モータハウジング２０５の前面には、接続ホース２７３の外径に倣う凹面部を有するホース保持リブ２７９が形成されており、図１３に示すように、当該ホース保持リブ２７９の凹面部に接続ホース２７３の外面が係合し、これによって結束バンド２７７で結わえられた接続ホース２７３の動きが更に拘束されることになり、接続ホース２７３の更なる安定化が図られている。
【００５２】
上記のように構成された集塵アタッチメント２５０は、ポール２６５を介してサイドグリップ２０８に取付けられる。このとき、本実施の形態では、図８及び図９に示すように、集塵カップ２５１の粉塵排出ノズル２５９の突出方向が本体部２０３に取付けられたサイドグリップ２０８の突出方向に対し周方向において概ね９０度の位相差を有する構成としている。これによって、集塵カップ２５１をサイドグリップ２０８に取付ける構成でありながら、粉塵排出ノズル２５９に接続された接続ホース２７３がサイドグリップ２０８を把持する手指に干渉することを回避できる。また、接続ホース２７３を結束バンド２７７によって本体部２０３に沿うように固定したことによって、接続ホース２７が下方へ垂れ下がって揺れ動くことを防止できる。このようなことから、作業者がサイドグリップ２０８を把持した加工作業を行う際、接続ホース２７３が作業の邪魔にならず、作業性の向上を図ることができる。なお、集塵カップ２５１を集塵機に接続しない態様で使用するときは、第１の実施形態の場合と同様、粉塵排出ノズル２５９をキャップによって塞いで使用することができる。
【００５３】
本実施の形態では、集塵カップ２５１をサイドグリップ２０８に対し前後方向に所定の間隔を置いて対向するように２本のポール２６５を介して取付けることで集塵カップ２５１とサイドグリップ２０８との間に２本のポール２６５によって区画された互いに対向する２箇所の作業空間２６９を形成し、当該作業空間２６９を通して工具保持装置２０４のツールスリーブ２４５の後端部、すなわち摘み部２４５ａを手指により操作可能としている。従って、集塵アタッチメント２５０を本体部２０３に取付けたままの状態で、２個の作業空間２６９から手指を差し込んで工具保持装置２０４のツールスリーブ２４５を後方へと移動させ、係止爪２４３によるハンマビット２１９の抜け規制を解除し、ハンマビット２１９を工具保持装置２０４のツールホルダ２４１のビット挿入孔２４１ａから取り外すことができる。すなわち、集塵アタッチメント２５０を本体部２０３に取付けたままの状態で、ハンマビット２１９の取外し作業を行うことができる。
【００５４】
なお、ツールスリーブ２４５の操作は、ハンマビット２１９の取外し作業に限らず、前述した第１の実施形態でも説明したように、ハンマドリル２０１をハンマビット２１９に打撃動作のみを行わせるハンマモードでハンマ作業を行うに際しての、当該ハンマビット２１９の角度位置決め調整作業用としても行うことができる。
【００５５】
また、本実施の形態では、集塵カップ２５１をサイドグリップ２０８に取付ける構成としている。このため、ハンマドリル２０１の本体部２０３側に変更を加えることなく、当該ハンマドリル２０１集塵アタッチメント２５０を適用することができる。
【００５６】
また、本実施の形態に係る集塵アタッチメント２５０によれば、集塵カップ２５１をサイドグリップ２０８に取付ける点以外の構成については、前述した第１の実施形態と同様に構成されている。このため、構造簡単で、かつ低コストの集塵アタッチメント２５０を提供できること、シール部材２６３の交換作業が容易なこと、加工作業時に生ずる粉塵を集塵機を用いて吸引処理できること、粉塵噛み込みに起因する連れ回りを防止できること等の作用効果については、第１の実施形態と同様に奏することができる。
【００５７】
（本発明の第３の実施形態）
次に、本発明の第３の実施形態につき、図１４及び図１５を参照しつつ説明する。この実施の形態は、集塵アタッチメント３５０を電動式のハンマ３０１に適用したものである。図１４に示す電動式のハンマ３０１は、第２の実施形態に係るハンマドリル２０１と同様に、駆動モータ３１１の回転軸線がハンマビット３１９の長軸方向に対して交差するように駆動モータ３１１が縦向きに配置されたタイプのハンマであり、モータハウジング３０５とギアハウジング３０７が概ねＬ型をなすボディ構造とされる。なお、電動ハンマ３０１は、ハンマビット３１９を駆動する内部機構が回転を伝達する機構を有していない点以外については、第２の実施形態のハンマドリル２０１と同様に構成されている。すなわち、内部機構として、駆動モータの３１１の回転出力を直線運動に変換する運動変換機構（クランク機構）３１３と、当該運動変換機構３１３の直線運動成分を介して本体部３０３の長軸方向（図１４における左右方向）に直線動作することでハンマビット３１９に打撃動作を加える打撃要素３１５とを有するが、従来周知であるゆえ、その詳細については説明を省略する。
【００５８】
本実施の形態に係る電動式のハンマ３０１は、図１５に示すように、本体部３０３の先端領域に、ハンマビット３１９を保持する工具保持装置２０４と、当該工具保持装置２０４に保持されたハンマビット３１９の角度（周方向位置）を定めるためのビット角度決め機構（バリオロック機構）３３０とを備えている。なお、工具保持機構２０４については、前述した第２の実施の形態の場合と同様に構成されているため、同一符号を付してその説明を省略する。
【００５９】
ビット角度決め機構３３０は、工具保持装置２０４の長軸方向回りの回動を規制する略円環状のロックリング３３１と、当該ロックリング３３１による回動規制を解除するためのビット角度調整作業用の略筒状のロック解除スリーブ３３３とを主体として構成されている。ロック解除スリーブ３３３は、本発明における「ビット角度調整作業用のスライド操作部材」に対応する。ロックリング３３１は、工具保持装置２０４の構成部材の１つであるツールホルダ２４１の外側の長軸方向中間位置に配置され、ハンマビット３１９の長軸方向へのスライド動作が可能とされている。そして、ロックリング３３１は、内周面側に設けたロック爪３３１ａがツールホルダ２４１の外側に設けた爪と噛み合い係合し、また長軸方向後端に設けたロック爪３３１ｂがバレル部３０６に対し周方向への移動が規制された固定スリーブ３３５の長軸方向前端に設けた爪と噛み合い係合することによって工具保持装置２０４の回動を規制し、ハンマ作業中にハンマビット３１９が周方向に無用に回動することを防止する。
【００６０】
ロック解除スリーブ３３３は、工具保持装置２０４のビット取外し作業用のツールスリーブ２４５の後方で、かつロックリング３３１の外側に当該ロックリング３３１と共に長軸方向にスライド可能に配置されている。そして、ロック解除スリーブ３３３の摘み部３３３ａを掴んで前方へとスライド操作することにより、固定スリーブ３３５の爪に対する当該ロックリング３３１のロック爪の噛み合い係合を解除し、工具保持装置２０４の回動規制を解除することが可能とされている。
【００６１】
なお、ロック解除スリーブ３３３は、長軸方向の前端側がビット取外し作業用のツールスリーブ２４５の内側に向って長軸方向に延在されるとともに、その延在端部の内向きフランジ部がロックリング３３１の前面に係止され、かつ止め輪３３７を介して接合されることでロックリング３３１と一体化されている。また、ロック解除スリーブ３３３の後端側は、バレル部３０６の前端外周に被さり、この後端部が手指によって操作される摘み部３３３ａと定められている。これにより、ツールスリーブ２４５の摘み部２４５ａとロック解除スリーブ３３３の摘み部３３３ａが、ハンマビット３１９の長軸方向に関して所定間隔を置いて隣接した状態で配置されている。また、ロック解除スリーブ３３３とビット取外し作業用のツールスリーブ２４５との間には、付勢バネ２４９が介在状に配置されており、この付勢バネ２４９によってロック解除スリーブ３３３を介してロックリング３３１が固定スリーブ３３５の爪と噛み合い係合するロック位置に付勢保持されている。
【００６２】
次に、集塵アタッチメント３５０につき説明する。この実施の形態に係る集塵アタッチメント３５０は、ハンマ作業用のハンマビット（ブルポイントともいう）３１９の先端部分が集塵カップ３５１の先端から所定長さで突出するように構成し、集塵カップ３５１のカップ本体３５３については、図１４に示すように、先端側に向って内径が大きくなる円錐筒状（ラッパ状）に形成している。すなわち、先端領域の開口面積を最大としている。このような構成とすることによって、ハンマ作業時において、集塵カップ３５１が被加工材に干渉してハンマ作業の支障になることを回避しつつ、集塵カップ３５１による粉塵の集塵性（キャッチのし易さ）の向上を図っている。すなわち、本実施形態の集塵アタッチメント３５０は、ハンマビット３１９が打撃動作のみを行うハンマ作業用として好適な構成とされている。
【００６３】
集塵アタッチメント３５０は、本体部３０３の先端領域を覆う両端開放筒状の集塵カップ３５１と、集塵カップ３５１を集塵機に接続する接続ホース（便宜上、図示を省略する）を主体として構成される。集塵カップ３５１は、先端側に向って内径が大きくなる円錐筒状（ラッパ状）に形成された非伸縮式のカップ本体３５３と、当該カップ本体３５３の後端部に嵌合して接合されたカップ取付部３５５とによって構成されている。なお、上記以外の構成、すなわちカップ取付部３５５が粉塵排出ノズル２５９、シール部材２６３を有する構成、及びカップ取付部３５５がサイドグリップ２０８に取付けられる構成については、第２の実施形態で説明した穴開け作業用の集塵アタッチメント２５０と同様とされる。従って、ハンマ作業用の集塵アタッチメント３５０の構成部材のうち上記以外の構成については、穴開け作業用の集塵アタッチメント２５０と同一の符号を付し、その説明を簡略する。
【００６４】
図１５に示すように、カップ取付部３５５は、サイドグリップ２０８に対しベース部２８５の係合孔２６７に挿入される２本のポール２６５を介して取付けられるとともに、ポール２６５の係合溝２６５ａに係合部材２７１の係合突部２７１ａが弾発状に係合することによって取付け位置に保持されるように構成される。そして、カップ取付部３５５が取付けられた状態では、当該カップ取付部３５５とベース部２８５との間には、周方向に関して２本のポール２６５で区画されるビット取外し用としての２箇所の作業空間２６９が形成され、この作業空間２６９に前述したビット取外し作業用のツールスリーブ２４５の摘み部２４５ａと、ビット角度調整作業用のロック解除スリーブ３３３の摘み部３３３ａが臨む構成とされる。
【００６５】
本実施の形態は、本体部３０３の先端領域にハンマビット３１９を保持する工具保持装置２０４と、当該工具保持装置２０４によって保持されたハンマビット３１９の角度を定めるビット角度ロック機構３３０を備えた電動ハンマ３０１において、バレル部３０６に取付けられたサイドグリップ２０８に対して集塵アタッチメント３５０を２本のポール２６５を介して取付ける構成としている。そして、集塵アタッチメント３５０に作業空間２６９を設定し、この作業空間２６９を通して工具保持装置２０４に関するビット取外し作業用のツールスリーブ２４５の摘み部２４５ａと、ビット角度決め機構３３０に関するビット角度調整作業用のロック解除スリーブ３３３の摘み部３３３ａが臨む構成としている。従って、本実施の形態によれば、集塵アタッチメント３５０をサイドグリップ２０８に取付けたままの状態で、ハンマビット３１９の取外し作業、及びハンマビット３１９のビット角度調整作業を行うことができ、作業性を向上することができる。
【００６６】
なお、本発明は、実施の形態に限定されるものではなく、必要に応じて適宜変形が可能である。例えば、第１の実施形態では、周囲が閉じられた方形状の開口によって作業孔１６９が形成されるとしたが、作業孔１６９につき、周囲の一部、例えばカップ取付部１５５の筒孔開口側が開放されたＵ字状の如き形状に変更しても構わない。また、第１の実施形態における作業孔１６９、第２の実施形態における作業空間２６９は、ハンマビット１１９，２１９の取外し作業用に限られるものではなく、ハンマビット１１９，２１９の角度決め作業用でもよい。また、集塵カップ１５１，２５２は、伸縮自在としたが、非伸縮式でも構わない。また、第１の実施形態において、バレル部１０６に係合突部１６５を設け、集塵カップ１５１に係合凹部１６７を設けてもよい。また、作業孔１６９及び作業空間２６９は、それぞれ２個に限定されるものではない。
【００６７】
また、第１及び第２の実施形態では、作業工具の一例としてハンマドリルの場合で説明したが、ハンマビット１１９，２１９に長軸方向の打撃動作のみを行わせるハンマに適用してもよい。
【００６８】
上記発明の趣旨に鑑み、以下の態様を構成することが可能とされる。
（態様１）
「請求項１に記載の集塵アタッチメントであって、前記開放部は、前記集塵カップの軸中心線を挟んで対向状に２個形成されている。」
【００６９】
（態様２）
「請求項１に記載の集塵アタッチメントであって、前記集塵カップは、カップ本体と当該カップ本体に連接されたカップ取付部とを有し、前記カップ取付部の前記カップ本体との連接側には、前記カップ本体の内部空間に臨む側が開口された環状の粉塵溜めが形成されている。」
【００７０】
（態様３）
「態様２に記載の集塵アタッチメントであって、前記粉塵溜めの底面にホース接続口が連通されている。」
【００７１】
（態様４）
「請求項１に記載の集塵アタッチメントであって、前記集塵カップは、前記本体部の先端領域のバレル部に外側から嵌合することで取付けられる。」
【００７２】
（態様５）
「態様４に記載の集塵アタッチメントであって、前記集塵カップの内面と前記バレル部の外面とのいずれか一方には、係合突部が周方向に複数形成され、いずれか他方には、前記係合突部が係合可能な係合凹部が周方向に複数形成され、前記係合突部と前記係合凹部の係合位置を周方向に選択的に変えることでバレル部に対する集塵カップの取付位置が変わる。」
【００７３】
（態様６）
「請求項１に記載の集塵アタッチメントであって、前記集塵部材は、前記本体部に取付けられた補助ハンドルに対して前記本体部の長軸方向に所定の間隔を置いて対向するとともに、当該集塵部材と前記補助ハンドルとの間に掛け渡し状に配置された複数のポールによって支持されている。」
【符号の説明】
【００７４】
１０１ ハンマドリル（作業工具）
１０３ 本体部
１０４ 工具保持装置
１０５ モータハウジング
１０６ バレル部
１０７ ギアハウジング
１０９ ハンドグリップ
１０９ａ トリガ
１１１ 駆動モータ
１１３ 運動変換機構（打撃駆動部）
１１５ 打撃要素
１１７ 動力伝達機構
１１９ ハンマビット（工具ビット）
１２３ 中間軸
１２５ 回転体
１２７ 揺動リング
１２９ 筒状ピストン
１２９ａ 空気室
１３１ 小径ギア
１３３ 大径ギア
１３５ ストライカ
１３７ インパクトボルト
１４１ ツールホルダ
１４１ａ ビット挿入孔
１４３ 鋼球
１４５ ツールスリーブ（スライド操作部材）
１４５ａ 摘み部
１４７ 規制リング
１４９ 付勢バネ
１５０ 集塵アタッチメント
１５１ 集塵カップ（集塵部材）
１５３ カップ本体
１５３ａ 非蛇腹領域
１５５ カップ取付部
１５５ａ 外筒部
１５５ｂ 内筒部
１５７ 粉塵溜め
１５９ 粉塵排出ノズル
１６１ キャップ（栓）
１６３ シール部材
１６５ 係合突部
１６７ 係合凹部
１６９ 作業孔（開放部）
２０１ ハンマドリル（作業工具）
２０３ 本体部
２０４ 工具保持装置
２０５ モータハウジング
２０６ バレル部
２０７ ギアハウジング
２０８ サイドグリップ（補助ハンドル）
２０９ ハンドグリップ
２０９ａ トリガ
２１５ 打撃要素
２１９ ハンマビット（工具ビット）
２３５ ストライカ
２３７ インパクトボルト
２４１ ツールホルダ
２４１ａ ビット挿入孔
２４３ 係止爪
２４５ ツールスリーブ（スライド操作部材）
２４５ａ 摘み部
２４７ 規制リング
２４９ 付勢バネ
２５０ 集塵アタッチメント
２５１ 集塵カップ（集塵部材）
２５３ カップ本体
２５５ カップ取付部
２５９ 粉塵排出ノズル
２６３ シール部材
２６５ ポール
２６５ａ 係合溝
２６７ 係合孔
２６９ 作業空間（開放部）
２７１ 係合部材
２７１ａ 係合突部
２７３ 接続ホース
２７５ コードガード
２７７ 結束バンド
２７９ ホース保持リブ
２８１ グリップ装着部
２８３ バンド部
２８５ ベース部
２８５ａ 係合面
２８６ ナット
２８７ グリップ部
２８９ ネジ付き操作ロッド
３０１ 電動ハンマ（作業工具）
３０３ 本体部
３０５ モータハウジング
３０６ バレル部
３０７ ギアハウジング
３１１ 駆動モータ
３１３ 運動変換機構
３１５ 打撃要素
３１９ ハンマビット
３３０ ビット角度位置決め機構
３３１ ロックリング
３３１ａ ロック爪
３３１ｂ ロック爪
３３３ ロック解除スリーブ（スライド操作部材）
３３３ａ 摘み部
３３５ 固定スリーブ
３３７ 止輪
３５０ 集塵アタッチメント
３５１ 集塵カップ（集塵部材）
３５３ カップ本体
３５５ カップ取付部
【図１】
0005575428.tif 000002
【図２】
0005575428.tif 000003
【図３】
0005575428.tif 000004
【図４】
0005575428.tif 000005
【図５】
0005575428.tif 000006
【図６】
0005575428.tif 000007
【図７】
0005575428.tif 000008
【図８】
0005575428.tif 000009
【図９】
0005575428.tif 000010
【図１０】
0005575428.tif 000011
【図１１】
0005575428.tif 000012
【図１２】
0005575428.tif 000013
【図１３】
0005575428.tif 000014
【図１４】
0005575428.tif 000015
【図１５】
0005575428.tif 000016